(57)【要約】【課題】基台を通じて室内側に水漏れが発生することを確実に防止できる建物外部構築物を提供する。【解決手段】前面壁部及び／又は側面壁部が、前面壁部又は側面壁部に沿った方向Ｓ１（Ｓ２）に延設される基台３０と、基台３０の延設方向Ｓ１（Ｓ２）に所定の間隔をあけて配設される複数の支柱６と、支柱６にそれぞれ支持させて設置され、壁面を形成する壁面部材８（１３）とを備えて構成され、基台３０の延設方向Ｓ１（Ｓ２）の基台３０の端部間に連続して延設され、排水孔を介して外部と連通する排水路３６を形成する。【選択図】図２
2015132117.tif 000002
【特許請求の範囲】
【請求項１】
前面壁部と、一端側を前記前面壁部に接続して設けられた屋根部と、一側端側を前記前面壁部に、上端側を前記屋根部に接続して設けられた側面壁部とを備え、前記屋根部の他端側と前記側面壁部の他側端側を建物本体の外壁に配置して構築される建物外部構築物であって、
前記前面壁部及び／又は前記側面壁部が、前記前面壁部又は前記側面壁部に沿った方向に延設される基台と、前記基台の延設方向に所定の間隔をあけて配設される複数の支柱と、前記支柱にそれぞれ支持させて設置され、壁面を形成する壁面部材とを備えて構成され、
前記基台の延設方向の前記基台の端部間に連続して延設され、排水孔を介して外部と連通する排水路が形成されていることを特徴とする建物外部構築物。
【請求項２】
請求項１記載の建物外部構築物において、
前記基台が、基台本体と、前記基台本体の上面側に設置され、前記壁面部材の下端部側を支持するための第１下枠及び第２下枠とを備えており、
前記第１下枠は、底板部と、前記底板部の一側端部側から上方に突出し前記壁面部材の外面に当接する外側ビードが取り付けられる外側突部と、前記底板部の他側端部側から上方に突出する遮水壁部とを備え、
前記第２下枠は、前記基台本体に係合する係合部と、係合部から上方に突出し前記壁面部材の内面に当接する内側ビードが取り付けられる内側突部を備え、
前記第１下枠の前記底板部と前記外側突部と前記遮水壁部で囲まれた空間によって前記排水路が形成されていることを特徴とする建物外部構築物。
【発明の詳細な説明】
【技術分野】
【０００１】
本発明は、サンルームなどの建物外部構築物に関する。
【背景技術】
【０００２】
住宅や店舗などの建物の多機能化を図り、利便性、快適性を向上させることができるという大きな利点を有することから、サンルームやテラス、バルコニーなどのガーデンルームタイプの建物外部構築物や、カーポート、自転車置き場、オープンテラス、物置、通路等のサイドスルータイプの建物外部構築物を住宅などの建物本体の外部に構築（設置、増築）するケースが増大している（例えば、特許文献１参照）。
【０００３】
そして、ガーデンルームタイプの建物外部構築物Ａは、例えば図１に示すように、住宅などの建物本体Ｔの外壁Ｔ１に沿って、且つ外壁Ｔ１と所定の間隔をあけて設けられる前面壁部１と、一端２ａを前面壁部１の上端側に、他端２ｂを建物本体Ｔの外壁Ｔ１側にそれぞれ接続して設けられる屋根部２と、前面壁部１と屋根部２と建物本体Ｔの外壁Ｔ１側にそれぞれ接続して設けられる一対の側面壁部３とを備えて構成されている。
【０００４】
また、この種の建物外部構築物Ａには、前面壁部１を、土間コンクリートやデッキ、独立基礎等の基礎４上に、住宅などの建物本体Ｔの外壁Ｔ１に沿う横方向Ｓ１に配設するとともに外壁Ｔ１と所定の間隔をあけて設置される基台５と、基台５に下端部６ａを接続して立設されるとともに横方向Ｓ１に所定の間隔をあけて並設される複数の支柱６と、複数の支柱６の上端部に接続して横方向Ｓ１に沿って配設される桁７と、下端部を基台５に、両側端部を支柱６に、上端部を桁７にそれぞれ支持させて、隣り合う支柱６の間に配設されるガラス板などの前面パネル（壁面部材）８を備えて構成したものがある。
【０００５】
また、屋根部２は、建物本体Ｔに設置される垂木掛け１０と、横方向Ｓ１に所定の間隔をあけて配設されるとともに、一端を桁７に、他端を垂木掛け１０にそれぞれ接続して架設される複数の垂木１１と、垂木１１に支持させて屋根面を形成する例えばポリカーボネートやアクリル等の樹脂板やガラス板等の屋根材１２とを備えて構成されている。
【０００６】
側面壁部３は、前面壁部１と同様に、基台５、支柱６及び側面パネル（壁面部材）１３を設置して構成されている。また、側面壁部３には、折れ戸１４や窓を設置して構成したものもある。
【０００７】
一方、前面壁部１（又は側面壁部３）の基台５は、例えば図３に示すように、基台本体１５と、基台本体１５の上面側に固設され、前面パネル８（又は側面パネル１３）の下端部側を保持するための第１下枠１６及び第２下枠１７と、基台本体１５等に取り付けられる化粧材１８とを備えて構成されている（例えば、特許文献１、特許文献２参照）。
【０００８】
また、第１下枠１６は、前面パネル８の下端部が当接してこれを位置決め支持するためのセッティングブロック２０が設置される底板部１６ａと、底板部１６ａから上方に突出し、前面パネル８の外面８ａ（１３ａ）に当接する外側ビード２１が取り付けられる外側突部１６ｂとを備えている。
【０００９】
第２下枠１７は、第１下枠１６の底板部１６ａに係合する係合部１７ａと、係合部１７ａから上方に突出し、前面パネル８の内面８ｂ（１３ｂ）に当接する内側ビード２２が取り付けられる内側突部１７ｂとを備えている。
【００１０】
そして、このように構成した基台５に前面パネル８を設置する際には、基台本体１５を基礎４上に設置するとともに、外側ビード２１を取り付けた第１下枠１６を基台本体１５上にビス止めするなどして取り付け、セッティングブロック２０を設置する。このセッティングブロック２０上に、外側ビード２１に外面８ａを当接させるようにして前面パネル８を配設するとともに、第１下枠１６に第２下枠１７を係合させて設置する。そして、第２下枠１７に内側ビード２２を取り付け、この内側ビード２２を前面パネル８の内面８ｂに当接させ、基台本体１５等にビス止めなどし、化粧材１８を取り付ける。
【００１１】
これにより、基台５によって前面パネル８（側面パネル１３）が支持されるとともに、外側ビード２１及び内側ビード２２によって前面パネル８を間にした室外側と室内側とが遮断され、雨水や外気が室内側に入り込むことが防止される。
【先行技術文献】
【特許文献】
【００１２】
【特許文献１】特開２００７−２４７１７６号公報
【特許文献２】特開２００８−１７４９１７号公報
【発明の概要】
【発明が解決しようとする課題】
【００１３】
しかしながら、例えば大雨、強雨などの際に、前面パネル８（側面パネル１３／壁面部材）の外面８ａ（１３ａ）を伝わって流下した雨水（雨水等の水）がその勢いによって前面パネル８と外側ビード２１の間を通過してしまうこともある。そして、上記従来の建物外部構築物Ａにおいては、このように前面パネル８と外側ビード２１の間から水が浸入すると、図３に示すように、第１下枠１６の底板部１６ａから順次基台本体１５や第２下枠１７を通じて室内側に水Ｗが浸入し、室内側に水漏れを発生させるおそれがあった。
【００１４】
本発明は、上記事情に鑑み、基台を通じて室内側に水漏れが発生することを確実に防止できる建物外部構築物を提供することを目的とする。
【課題を解決するための手段】
【００１５】
上記の目的を達するために、この発明は以下の手段を提供している。
【００１６】
本発明の建物外部構築物は、前面壁部と、一端側を前記前面壁部に接続して設けられた屋根部と、一側端側を前記前面壁部に、上端側を前記屋根部に接続して設けられた側面壁部とを備え、前記屋根部の他端側と前記側面壁部の他側端側を建物本体の外壁に配置して構築される建物外部構築物であって、前記前面壁部及び／又は前記側面壁部が、前記前面壁部又は前記側面壁部に沿った方向に延設される基台と、前記基台の延設方向に所定の間隔をあけて配設される複数の支柱と、前記支柱にそれぞれ支持させて設置され、壁面を形成する壁面部材とを備えて構成され、前記基台の延設方向の前記基台の端部間に連続して延設され、排水孔を介して外部と連通する排水路が形成されていることを特徴とする。
【００１７】
この発明においては、基台に、前面壁部又は側面壁部の壁面部材の下端部側が挿入配置されるとともに、基台の延設方向の基台の端部間に連続して延設され、排水孔を介して外部と連通する排水路が形成されていることにより、例えば大雨、強雨などの際に、壁面部材（前面パネルや側面パネルなど）の外面を伝わって流下した雨水等の水がその勢いによって壁面部材と外側ビードの間を通過した場合であっても、この水を排水路で受け、排水孔を通じて外部に排出させることが可能になる。
【００１８】
これにより、従来のように壁面部材と外側ビードの間から浸入した水が室内側に達し、室内側に水漏れが発生することを確実に防止できる。
【００１９】
また、本発明の建物外部構築物においては、前記基台が、基台本体と、前記基台本体の上面側に設置され、前記壁面部材の下端部側を支持するための第１下枠及び第２下枠とを備えており、前記第１下枠は、底板部と、前記底板部の一側端部側から上方に突出し前記壁面部材の外面に当接する外側ビードが取り付けられる外側突部と、前記底板部の他側端部側から上方に突出する遮水壁部とを備え、前記第２下枠は、前記基台本体に係合する係合部と、係合部から上方に突出し前記壁面部材の内面に当接する内側ビードが取り付けられる内側突部を備え、前記第１下枠の前記底板部と前記外側突部と前記遮水壁部で囲まれた空間によって前記排水路が形成されていることが望ましい。
【００２０】
この発明においては、第１下枠が、底板部と、底板部から上方に突出し外側ビードが取り付けられる外側突部とに加え、底板部から上方に突出する遮水壁部を備えて形成され、これら底板部と外側突部と遮水壁部で囲まれた空間によって排水路を形成することができる。また、遮水壁部の高さ寸法を適宜調整することによって、排水路の大きさ、すなわち処理可能な水量を容易に調整することができる。
【００２１】
これにより、壁面部材と外側ビードの間から浸入した水を確実に遮水壁部で遮断し、室内側に水漏れが発生することをさらに確実に防止できる。
【発明の効果】
【００２２】
本発明の建物外部構築物においては、大雨、強雨などの際に、壁面部材の外面を伝わって流下した雨水等の水がその勢いによって壁面部材と外側ビードの間を通過した場合であっても、この水を排水路で受け、排水孔を通じて外部に排出させることができ、室内側に水漏れが発生することを確実に防止できる。
【図面の簡単な説明】
【００２３】
【図１】本発明の一実施形態に係る建物外部構築物を示す斜視図である。
【図２】本発明の一実施形態に係る建物外部構築物の基台を示す断面図である。
【図３】従来の建物外部構築物の基台を示す断面図である。
【発明を実施するための形態】
【００２４】
以下、図１及び図２を参照し、本発明の一実施形態に係る建物外部構築物について説明する。ここで、本実施形態では、本発明に係る建物外部構築物が、住宅や店舗などの建物本体に繋げて構築されるガーデンルームタイプの建物外部構築物であるものとして説明を行う。
【００２５】
本実施形態の建物外部構築物Ｂは、サンルーム（ガーデンルーム）であり、例えば図１に示すように、前面壁部１と、一対の側面壁部３と、屋根部２とを備えて構成されている。
【００２６】
前面壁部１は、建物本体Ｔのサッシ窓等の開口部を備えた外壁Ｔ１から所定の間隔で離間し、且つ外壁Ｔ１に略平行に対向して配設されている。そして、本実施形態の前面壁部１は、土間コンクリートやデッキ、独立基礎等の基礎４上に載置して固設されるとともに、建物本体Ｔの外壁Ｔ１に沿う横方向（基台の延設方向）Ｓ１に延設された基台３０と、基台３０に下端部を接続して立設されるとともに、横方向Ｓ１に所定の間隔をあけて並設された複数の支柱６と、複数の支柱６の上端部に接続して横方向Ｓ１に架設された桁７と、下端部を基台３０に、両側端部を隣り合う支柱６に、上端部を桁７にそれぞれ支持させて壁面を形成するガラス板などの前面パネル（壁面部材）８とを備えて構成されている。
【００２７】
また、図２に示すように、基台３０は、従来と同様、土間コンクリートやデッキ、独立基礎等の基礎４上に載置して固設される基台本体３１と、基台本体３１の上面側に設けられ、前面パネル８の下端部側を保持するための第１下枠３２及び第２下枠３３と、基台本体３１等に取り付けられる化粧材３４とを備えている。
【００２８】
基台本体３１は、例えば押出成形で略角管状で断面略方形状に形成されたアルミ押出し形材である。また、基台本体３１には、横方向Ｓ１に所定の間隔をあけ、上方に突出するようにスリーブ（嵌合凸部）が取り付けられている。
【００２９】
ここで、本実施形態の支柱６は、例えば略角管状に形成されたアルミ押出し形材であり、その下端部側の中空部（嵌合受部）に基台本体３１のスリーブを嵌合させることにより、下端部６ａを基台本体３１に接続して立設されている。なお、支柱６の下端部６ａを基台本体３１のスリーブに嵌合させるとともに、外側から支柱６の下端部６ａと基台本体３１のスリーブをビス止めし、強固に支柱６が基台本体３１に接続される。
【００３０】
次に、本実施形態の基台３０の第１下枠３２は、底板部３２ａと外側突部３２ｂとに加え、遮水壁部３２ｃを備えて構成されている。また、本実施形態では、遮水壁部３２ｃが基台本体３１に繋がるようにして、この第１下枠３２が基台本体３１と一体形成されている。
【００３１】
また、この第１下枠３２の底板部３２ａは、板面を上下方向Ｓ３に向け、横方向Ｓ１に延設され、前面パネル８の下端部が当接して前面パネル８を位置決め支持するためのセッティングブロック３５が上面に設置される。
【００３２】
外側突部３２ｂは、底板部３２ａの前面パネル８の外面８ａ側に位置する一側端部側に下端を繋げ、前面パネル８の外面８ａに沿うように上方に突設されている。また、外側突部３２ｂは、その突出方向先端側に外側ビード２１を着脱可能に取り付け、前面パネル８の外面８ａにこの外側ビード２１を密着させるためのビード係合部３２ｄが形成されている。
【００３３】
遮水壁部３２ｃは、底板部３２ａの他側端部側に下端を繋げ、所定の高さ寸法で上方に突設されている。
【００３４】
そして、本実施形態では、第１下枠３２の底板部３２ａと外側突部３２ｂと遮水壁部３２ｃとで囲まれ、セッティングブロック３５及び前面パネル８の下端部側が挿入される空間が形成され、この空間が排水路（排水溝）３６を構成している。また、この排水路３６は、基台５の横方向に沿う長さ方向の一側端部から他側端部まで連続して延設されている。
【００３５】
さらに、第１下枠３２の底板部３２ａと外側突部３２ｂと遮水壁部３２ｃで形成された排水路３６は、例えば前面壁部１の両側部側に開口形成したり、底板部３２ａの所定位置に貫通形成するなど、適宜所定の位置に形成された排水孔を通じて外部と連通している。
【００３６】
第２下枠３３は、第１下枠３２（基台本体３１）に着脱可能に係合する係合部３３ａと、係合部３３ａから上方に突出し、前面パネル８の内面８ｂに当接する内側ビード２２が着脱可能に取り付けられる内側突部３３ｂとを備えて形成されている。
【００３７】
そして、このように構成した基台３０に前面パネル８を設置する際には、基台本体３１を基礎４上に設置するとともに、支柱６を立設し、また、第１下枠３２に外側ビード２１を取り付け、排水路３６内にセッティングブロック３５を設置する。また、前面パネル８の両側部を支柱６に支持させつつ、セッティングブロック３５上に外側ビード２１に外面８ａを当接させるようにして前面パネル８を設置する。また、第１下枠３２に第２下枠３３を係合させて設置するとともに、第２下枠３３に内側ビード２２を取り付け、この内側ビード２２を前面パネル８の内面８ｂに当接させる。さらに、基台本体３１等に化粧材３４を取り付ける。これにより、前面壁部１が形成される。
【００３８】
次に、屋根部２は、図１に示すように、桁７よりも上方位置の建物本体Ｔの外壁Ｔ１に、横方向Ｓ１に沿って固設された垂木掛け１０と、一端を垂木掛け１０に、他端を桁７に接続して斜設されるとともに、横方向Ｓ１に所定の間隔をあけて配設された複数の垂木１１と、隣り合う垂木１１に固定して支持され、屋根面を形成する例えばポリカーボネートやアクリル等の樹脂板、ガラス板の屋根材１２とを備えて構成されている。
【００３９】
また、桁７と垂木掛け１０の間に配設され、横方向Ｓ１に延設された中骨材（連結材）３７によって隣り合う垂木１１が連結されている。
なお、屋根部２を構成する垂木掛け１０、垂木１１、中骨材３７もアルミ押出し形材を用いて形成されている。
【００４０】
次に、側面壁部３は、例えば、前面壁部１と同様に、基台３０と支柱６と側面パネル（壁面部材）１３を備えて形成したり、折り戸１４や窓を設置して形成されている。例えば、前面壁部１の妻支柱６の上端部側に一端を接続し、建物本体Ｔの外壁Ｔ１側の側面壁部３の妻支柱６に他端を接続して妻梁３８を横方向の奥行き方向Ｓ２に沿って水平に設置する。そして、妻梁３８と前面壁部１の妻支柱６と側面壁部３の妻支柱６で囲まれて方形状の枠部内に支柱６と側面パネル１３、窓などを設置したり、折り戸１４を設置して構成される。
【００４１】
また、妻梁３８と妻垂木１１と側面壁部３の妻支柱６で囲まれた略三角形状の枠部内にはポリカーボネート等（ＦＩＸ窓３９）を設置したり、内倒し窓などを換気窓として設置して構成してもよい。
【００４２】
そして、上記構成からなる本実施形態の建物外部構築物Ｂにおいては、基台３０に、前面壁部１の前面パネル８（又は側面壁部３の側面パネル１３）の下端部側が挿入配置されるとともに、前面壁部１（又は側面壁部３）に沿う横方向Ｓ１（Ｓ２）に連続し、排水孔を介して外部と連通する排水路３６が形成されている。
【００４３】
これにより、例えば大雨、強雨などの際に、前面パネル８（側面パネル１３／壁面部材）の外面８ａ（１３ａ）を伝わって流下した雨水等の水がその勢いによって前面パネル８と外側ビード２１の間を通過した場合であっても、この水を排水路３６で受け、排水孔を通じて外部に排出させることが可能になる。
【００４４】
よって、本実施形態の建物外部構築物Ｂによれば、従来のように前面パネル８や側面パネル１３と外側ビード２１の間から浸入した水が室内側に達し、室内側に水漏れが発生することを確実に防止できる。
【００４５】
また、本実施形態の建物外部構築物Ｂにおいては、基台３０が、基台本体３１と、基台本体３１の上面側に設置され、前面パネル８や側面パネル１３の下端部側を支持するための第１下枠３２及び第２下枠３３とを備え、この第１下枠３２が、底板部３２ａと、底板部３２ａから上方に突出し外側ビード２１が取り付けられる外側突部３２ｂとに加え、底板部３２ａから上方に突出する遮水壁部３２ｃを備えて形成されている。
【００４６】
これにより、第１下枠３２のこれら底板部３２ａと外側突部３２ｂと遮水壁部３２ｃで囲まれた空間によって排水路３６を形成することができる。また、遮水壁部３２ｃの高さ寸法を適宜調整することによって、排水路３６の大きさ、すなわち処理可能な水量を容易に調整することができる。よって、前面パネル８や側面パネル１３と外側ビード２１の間から浸入した水を確実に遮水壁部３２ｃで遮断し、室内側に水漏れが発生することをさらに確実に防止できる。
【００４７】
以上、本発明に係る建物外部構築物の一実施形態について説明したが、本発明は上記の一実施形態に限定されるものではなく、その趣旨を逸脱しない範囲で適宜変更可能である。
【符号の説明】
【００４８】
１      前面壁部
２      屋根部
２ａ    一端
２ｂ    他端
３      側面壁部
４      基礎
５      従来の基台
６      支柱
６ａ    下端部
７      桁
８      前面パネル（壁面部材）
８ａ    外面
８ｂ    内面
１０    垂木掛け
１１    垂木
１２    屋根材
１３    側面パネル（壁面部材）
１３ａ  外面
１３ｂ  内面
１４    折れ戸
１５    従来の基台本体
１６    従来の第１下枠
１６ａ  底板部
１６ｂ  外側突部
１７    従来の第２下枠
１７ａ  係合部
１７ｂ  内側突部
１８    化粧材
２０    セッティングブロック
２１    外側ビード
２２    内側ビード
３０    基台
３１    基台本体
３２    第１下枠
３２ａ  底板部
３２ｂ  外側突部
３２ｃ  遮水壁部
３２ｄ  ビード係合部
３３    第２下枠
３３ａ  係合部
３３ｂ  内側突部
３４    化粧材
３５    セッティングブロック
３６    排水路（排水溝）
３７    中骨材
３８    妻梁
３９    ＦＩＸ窓
Ａ      従来の建物外部構築物
Ｂ      建物外部構築物
Ｓ１    横方向（基台の延設方向）
Ｓ２    横方向（奥行き方向）
Ｓ３    上下方向
Ｔ      建物本体
Ｔ１    外壁
Ｗ      水
【図１】
2015132117.tif 000003
【図２】
2015132117.tif 000004
【図３】
2015132117.tif 000005